(57)【要約】      （修正有）【課題】折り畳みやすさ、組立てやすさ、及び運搬しやすさのめんから利便性に優れたバリケードを提供する。【解決手段】単管パイプからなり、先端部、中央部、及び下部に、穿穴を有する小プレートを溶接して支持部４とした左右一対の垂直部材３、単管パイプであって、パイプの中心から偏心して平面状に形成され穿穴を有する枢結部５を両端部に有し、前記左右一対の垂直部材を先端部、中央部及び下部で連結する筋交からなる水平部材２からなり、先端部、中央部及び下部で連結する前記水平部材は、前記枢結部の偏心方向がそれぞれ逆になる方向であって、上下方向に枢動可能に前記垂直部材の前記枢支部と連結されてなるバリケード１。【選択図】図１
0003233699.tif 000002
【実用新案登録請求の範囲】
【請求項１】
単管パイプからなり、穿穴を有する小プレートを先端部、中央部、及び下部に溶接して支持部とした左右一対の垂直部材、および、
単管パイプであって、両端部にパイプの中心から偏心して平面状に形成されて穿穴された枢結部を有する３本の水平部材からなり、
前記垂直部材の先端部、中央部及び下部の支持部と、水平部材の枢結部とがボルトとナットにより上下方向に枢動可能に接続されているバリケード。
【請求項２】
前記垂直部材の先端部、中央部及び下部に枢結される前記水平部材は、前記枢結部の偏心方向がそれぞれ互い違いに逆になる方向に接続されている請求項１に記載のバリケード。
【請求項３】
広げて組立後にシートを設置することからなる請求項１又は２に記載のバリケード。
【請求項４】
専用のブロックに差し込んで使用することからなる請求項１〜３のいずれかに記載のバリケード。
【考案の詳細な説明】
【技術分野】
【０００１】
本考案は、工事用のバリケードに関する。折り畳んだ状態ではコンパクトにまとまって運搬や保管に便利で、工事現場において広げて組立ててシートを設置し、専用のブロックに差し込んでバリケードとして使用する機材である。
【背景技術】
【０００２】
工事用のバリケードは、工事現場を取り囲んで設置され、歩行者や通行車の安全を守るために使用されている。
具体的には、工事現場での作業はバリケードで区画されたエリア内で行われ、これにより、歩行者等は作業で発生する有害な光や飛散物から保護されている。また、歩行者等が誤って工事現場に入り込むことがないように、歩行者等の安全を確保している。さらに、倉庫内を外部から見えないように遮蔽する用途に使用されることもある。
【０００３】
従来の工事用のバリケードでは、パイプ材をコの字状に折り曲げて本体とし、この本体の解放端部を連結材で溶接して連結し、２個のコの字の下端部を保持部材に挿入して使用している。しかし、このようなバリケードの本体は、車両に積み込む際には嵩張って積載容積が大きくなってしまう。このため、多数のバリケードを運搬する場合には、多数の車両が必要になるし、保管する場合にも倉庫の場所を不当に占領してしまう。また、コの字状のバリケード本体が絡み合ってしまうので、安定的に車両に積載することができず、積み上げた山が崩れることもあり作業員を危険にさらすこともあった。
【０００４】
従来から使用されている工事用のバリケードの有する、これらの問題を解決するために、コンパクトに折り畳めるように設定されたバリケードについて、いくつかの特許あるいは実用新案の出願がなされている。
【先行技術文献】
【特許文献】
【０００５】
【特許文献１】特開平１１−１３２８９号公報
【特許文献２】実開平５−３２２５号公報
【考案の概要】
【考案が解決しようとする課題】
【０００６】
しかし、これらの従来技術におけるバリケードにおいても、折り畳みやすさ、組立てやすさ、及び運搬しやすさの要素を考えたとき、満足しうる設計のバリケードとはなっていない。
本考案は、これらの要素を十分に満足することができるバリケードを提供することを目的とする。
【課題を解決するための手段】
【０００７】
上記目的を達成するため、請求項１に記載の考案は、単管パイプからなり、穿穴を有する小プレートを先端部、中央部、及び下部に溶接して支持部とした左右一対の垂直部材、および、単管パイプであって、両端部にパイプの中心から偏心して平面状に形成されて穿穴された枢結部を有する３本の水平部材からなり、前記垂直部材の先端部、中央部及び下部の支持部と、水平部材の枢結部とがボルトとナットにより上下方向に枢動可能に接続されているバリケードである。
そして、前記垂直部材の先端部、中央部及び下部に枢結される前記水平部材は、前記枢結部の偏心方向がそれぞれ互い違いに逆になる方向に接続されていることが好ましい。また、前記バリケードは、組立後にシートを設置してバリケードとしての機能を付し、専用ブロックに差し込んでバリケードとして使用する。
【考案の効果】
【０００８】
本考案によるバリケードは、組立てや折り畳みが容易であること、及び、コンパクトにまとまって体積を取らないことから、バリケードの設置や撤去が容易になるばかりではなく、輸送や保管等における取り扱いが容易である。これらの点から、本考案に係るバリケードは、従来技術におけるバリケードに比較して、利便性が格段に向上したものである。
【図面の簡単な説明】
【０００９】
【図１】本考案のバリケードを立設した状態を示す斜視図である。
【図２】本考案のバリケードの正面図である。
【図３】（ａ）図２のＡ−Ａ、Ｃ−Ｃ断面図、（ｂ）図２のＢ−Ｂ断面図である。
【図４】（ａ）水平部材を示す。（ｂ）垂直部材を示す。
【図５】本考案のバリケードを完全に折り畳む前の状態を示す平面図である。
【図６】本考案のバリケードを完全に折り畳んだ状態を示す斜視図である。
【考案を実施するための形態】
【００１０】
次に、本考案の実施形態を図面に基づき説明する。ただし、以下に示す実施の形態は、本考案の技術思想を具体化するための足場用落下防止装置を例示するものであって、本考案は、折り畳み式バリケードを以下のものに限定しない。また、各図面が示す部材の大きさ又は位置関係は、本考案の説明をわかりやすくするために誇張してあることに留意されたい。
【００１１】
（使用状態）
図１は本考案のバリケード１を立設した状態を示す斜視図である。バリケードとして実際に使用する場合には、組立後にシートを設置してバリケードとしての機能を付与する。また、図１に示すように、専用ブロック６に差し込んで使用する。
【００１２】
（接続構造）
図２は、本発明のバリケード１の正面図を示し、図３の（ａ）（ｂ）は、図２の正面図の水平断面図を示す。（ａ）は図２のＡ−Ａ及びＣ−Ｃ断面図であり、（ｂ）はＢ−Ｂ断面図である。
図２及び図３（ａ）（ｂ）から明らかなとおり、水平部材２は、単管パイプであって、両端部にパイプの中心軸から偏心して平面状に形成された枢結部５を有している。これらの枢結部５が垂直部材３の支持部４にボルトとナットで回動可能に接続される。
【００１３】
そして、その接続方向は、図３（ａ）（ｂ）から明らかなとおり、枢結部５におけるパイプの中心軸からの偏心方向が、Ａ−Ａ断面の水平部材２ａとＢ−Ｂ断面の水平部材２ｂ、Ｂ−Ｂ断面の水平部材２ｂとＣ−Ｃ断面の水平部材２ｃにおいて、それぞれ互い違いに逆の関係になるよう接続される。
これにより、後記するように、本発明のバリケード１は、折り畳んだ時にコンパクトにまとめることができる。
【００１４】
（各部材の構造）
図４は、本発明のバリケード１を構成する水平部材２と垂直部材３を単体で示したものである。（ａ）の水平部材２は、単管パイプであって、その両端部にはパイプの中心軸から偏心して平面状に形成された枢結部５を有しており、この枢設部５は穿穴を有する。また、垂直部材３は、先端部、中央部、及び下部の３か所に、穿穴を有する小プレートが溶接され支持部４を構成している。
この支持部４と枢結部５がボルトとナットで接続されるので、水平部材２は、垂直部材３に対して回動可能に接続される。
【００１５】
（折り畳み状態）
図５及び図６は、本発明のバリケード１を折り畳んでいる状態を示すもので、図４は完全に折り畳む前の平面図であり、図５は完全に折り畳んだ後の斜視図である。水平部材２を構成する枢結部５の偏心方向が、互い違いに接続されているので、コンパクトに折り畳めることができる。最終的には図６に示す状態まで緊密化することができる。
【００１６】
このため、本発明に係るバリケード１は、組立てや折り畳みが容易で利便性に優れている。また、折り畳んだ際にコンパクトにまとまって体積を取らないことから、輸送や保管等における取り扱いが容易であるという特徴を有する。
【符号の説明】
【００１７】
１  バリケード本体
２  水平部材
３  垂直部材
４  支持部
５  枢結部
６  保持部材
【図１】
0003233699.tif 000003
【図２】
0003233699.tif 000004
【図３】
0003233699.tif 000005
【図４】
0003233699.tif 000006
【図５】
0003233699.tif 000007
【図６】
0003233699.tif 000008